(57)【特許請求の範囲】
【請求項１】
電力・ガス・水道の各エネルギーの消費量が設定値以上であるか、設定値未満であるかを判定するエネルギー消費量判定手段と、
このエネルギー消費量判定手段と接続されるとともに、各エネルギーの消費量の判定結果を表示するエネルギー表示装置と、
前記エネルギー消費量判定手段と接続されるとともに、居住者の外出および帰宅を認識する外出認識装置を備えており、
この外出認識装置は、各種データ・プログラム等を記憶するための記憶手段を有しており、この記憶手段には、前記エネルギー消費量判定手段によって各エネルギーの実際の消費量と比較される設定値データが格納され、
前記各エネルギーは、外出時に、エネルギー消費を完全に停止すべき第１分類と、エネルギー消費量を抑えた状態で使用する第２分類と、エネルギー消費を維持継続する第３分類とに分類されており、
前記外出認識装置は、前記各エネルギーの分類のうち、第１分類および第２分類に該当するエネルギーの消費量を前記エネルギー消費量判定手段によって判定するための通常外出モードと、
前記各エネルギーの分類のうち、第１分類〜第３分類に該当するエネルギーの消費量を前記エネルギー消費量判定手段によって判定するための長期外出モードと、
前記通常外出モードおよび長期外出モードを解除するための在宅モードとを具備していることを特徴とするエネルギー消費量の判定システム。
【請求項２】
請求項１に記載のエネルギー消費量の判定システムにおいて、
前記エネルギー表示装置は、各種データ・プログラム等を記憶するための記憶手段を有しており、
この記憶手段には、各エネルギー消費量の判定結果を表示するための判定結果表示プログラムが格納されていることを特徴とするエネルギー消費量の判定システム。
【請求項３】
請求項２に記載のエネルギー消費量の判定システムにおいて、
前記エネルギー表示装置は、分電盤に搭載されるとともに該分電盤から分岐された複数の分岐回路ごとの消費電力量を測定する電力測定手段に接続されており、
前記複数の分岐回路は、コンセント回路や照明回路等の一般回路と、接続される機器の電力消費量に基づいて一般回路と区別される専用回路とに区分されており、
前記判定結果表示プログラムは、消費電力量の判定結果を、分岐回路別・住宅内の所定のエリア別・住宅全体に分類して表示可能に構成されていることを特徴とするエネルギー消費量の判定システム。
【請求項４】
請求項３に記載のエネルギー消費量の判定システムにおいて、
前記消費電力量の設定値は、前記各分岐回路に接続される機器ごとの消費電力に基づいて設定されていることを特徴とするエネルギー消費量の判定システム。
【請求項５】
請求項３に記載のエネルギー消費量の判定システムにおいて、
前記外出認識装置は、前記各分岐回路に接続される機器ごとの消費電力データを記憶手段に蓄積するためのデータ蓄積手段を有しており、
前記消費電力量の設定値は、前記データ蓄積手段によって蓄積された消費電力データに基づいて設定されていることを特徴とするエネルギー消費量の判定システム。
【請求項６】
請求項２〜５のいずれか一項に記載のエネルギー消費量の判定システムにおいて、
前記エネルギー表示装置は、住宅全体のガス使用量を測定するガスメーターに接続されており、
前記判定結果表示プログラムは、ガス使用量の判定結果を表示可能に構成されていることを特徴とするエネルギー消費量の判定システム。
【請求項７】
請求項２〜６のいずれか一項に記載のエネルギー消費量の判定システムにおいて、
前記エネルギー表示装置は、住宅全体の水道使用量を測定する水道メーターに接続されており、
前記判定結果表示プログラムは、水道使用量の判定結果を表示可能に構成されていることを特徴とするエネルギー消費量の判定システム。
【請求項８】
請求項２〜６のいずれか一項に記載のエネルギー消費量の判定システムにおいて、
前記エネルギー表示装置は、住宅内の所定箇所に複数配管された水道管を流れる水の流量を測定する複数の流量センサーにそれぞれ接続されており、
前記判定結果表示プログラムは、水道使用量の判定結果を、流量センサー別・住宅全体に分類して表示可能に構成されていることを特徴とするエネルギー消費量の判定システム。
【請求項９】
請求項１〜８のいずれか一項に記載のエネルギー消費量の判定システムにおいて、
前記通常外出モードおよび長期外出モードでは、外出時間の設定が可能とされていることを特徴とするエネルギー消費量の判定システム。
【請求項１０】
請求項１〜９のいずれか一項に記載のエネルギー消費量の判定システムにおいて、
前記外出認識装置は、各エネルギーの消費量が設定値以上であった場合に警告を発する警告手段を有していることを特徴とするエネルギー消費量の判定システム。
【請求項１１】
請求項１〜１０のいずれか一項に記載のエネルギー消費量の判定システムにおいて、
前記外出認識装置の記憶手段には、一つの分岐回路に対し、第１〜第３分類のうちのいずれかに分類された複数の機器が接続される場合の該分岐回路の消費電力量の上限値データが格納されており、
この上限値データに基づいて、該分岐回路の消費電力量の設定値が設定されていることを特徴とするエネルギー消費量の判定システム。
【請求項１２】
請求項１〜１１のいずれか一項に記載のエネルギー消費量の判定システムにおいて、
前記外出認識装置とエネルギー表示装置とは一体形成されていることを特徴とするエネルギー消費量の判定システム。
【請求項１３】
請求項１〜１１のいずれか一項に記載のエネルギー消費量の判定システムにおいて、
前記外出認識装置は玄関に配置されており、前記エネルギー表示装置は居室内に配置されていることを特徴とするエネルギー消費量の判定システム。
【請求項１４】
商用電力系統等の外部電源と、その他の電源とを含む複数の電源に接続されており、いずれの電源を利用するか選択可能に構成されていることを特徴とする請求項１〜１３のいずれか一項に記載のエネルギー消費量の判定システム。
【請求項１５】
一日を複数の時間帯に区分けし、区分けした時間帯ごとに、いずれの電源を利用するか選択可能に構成されていることを特徴とする請求項１４に記載のエネルギー消費量の判定システム。
【発明の詳細な説明】
【技術分野】
【０００１】
本発明は、住宅内の無駄な消費エネルギーを低減するためのエネルギー消費量の判定システムに関する。
【背景技術】
【０００２】
特許文献１に記載の技術は、集合住宅の管理室の電気錠の開錠・施錠状態に応じて管理人の在・不在を検知することによって、集合住宅への来訪者または住戸内の居住者からの呼出報知音等を管理室側で非能動とし、これにより、呼出報知音等による管理室近傍での騒音発生を防止するとともに無駄な電力消費を抑制する、というものである。
【先行技術文献】
【特許文献】
【０００３】
【特許文献１】特開２００１−２２３８０５号公報
【発明の概要】
【発明が解決しようとする課題】
【０００４】
ところで、特許文献１に記載のような技術を、集合住宅の各住戸や戸建て住宅にも応用したいという要望がある。例えば、在宅時に、使用していない部屋の照明がついていたり、外出する際に、電気機器の電源を消し忘れたりした場合は、その分無駄な電力を消費することになるため、住宅内の無駄なエネルギー消費の低減を図ることが可能な技術の開発が強く望まれていた。
また、省エネルギーの対象とするエネルギーを電力だけにするのではなく、ガスや水道も省エネルギーの対象としたいという要望もある。
【０００５】
本発明の課題は、電力・ガス・水道の各エネルギーの消費量を判定し、無駄なエネルギー消費の低減を図ることが可能なエネルギー消費量の判定システムを提供することを目的とする。
【課題を解決するための手段】
【０００６】
請求項１に記載の発明は、エネルギー消費量の判定システムであって、例えば図１〜図１５に示すように、電力・ガス・水道の各エネルギーの消費量が設定値以上であるか、設定値未満であるかを判定するエネルギー消費量判定手段４と、
このエネルギー消費量判定手段４と接続されるとともに、各エネルギーの消費量の判定結果を表示するエネルギー表示装置２と、
前記エネルギー消費量判定手段４と接続されるとともに、居住者の外出および帰宅を認識する外出認識装置１を備えており、
この外出認識装置は１、各種データ・プログラム等を記憶するための記憶手段２８を有しており、この記憶手段２８には、前記エネルギー消費量判定手段４によって各エネルギーの実際の消費量と比較される設定値データが格納され、
前記各エネルギーは、外出時に、エネルギー消費を完全に停止すべき第１分類と、エネルギー消費量を抑えた状態で使用する第２分類と、エネルギー消費を維持継続する第３分類とに分類されており、
前記外出認識装置１は、前記各エネルギーの分類のうち、第１分類および第２分類に該当するエネルギーの消費量を前記エネルギー消費量判定手段４によって判定するための通常外出モード３ａと、
前記各エネルギーの分類のうち、第１分類〜第３分類に該当するエネルギーの消費量を前記エネルギー消費量判定手段４によって判定するための長期外出モード３ｂと、
前記通常外出モード３ａおよび長期外出モード３ｂを解除するための在宅モード３ｃとを具備していることを特徴とする。
【０００７】
請求項１に記載の発明によれば、電力・ガス・水道の各エネルギーの消費量が設定値以上であるか、設定値未満であるかを判定するエネルギー消費量判定手段４と、このエネルギー消費量判定手段４と接続されるとともに、各エネルギーの消費量の判定結果を表示するエネルギー表示装置２とを備えているので、前記エネルギー消費量判定手段４によって各エネルギーの消費量を判定することができ、その判定結果を、前記エネルギー表示装置２に確実に表示することができる。
これによって、居住者は、前記エネルギー表示装置２を見て、住宅内において無駄なエネルギー消費が行われている場所を容易に確認することができるので、例えばエネルギーを無駄に消費している場所に行き、エネルギー消費を抑える行動を取るなどして、無駄なエネルギー消費の低減を図ることが可能となる。
また、前記外出認識装置１は、各種データ・プログラム等を記憶するための記憶手段２８を有しており、この記憶手段２８には、前記エネルギー消費量判定手段４によって各エネルギーの実際の消費量と比較される設定値データが格納されているので、前記エネルギー消費量判定手段４によって、各エネルギーの測定結果と設定値データとを比較し、測定結果の数値が、前記設定値データ以上であるか、設定値データ未満であるかを判定できる。
また、前記各エネルギーは、外出時に、エネルギー消費を完全に停止すべき第１分類と、エネルギー消費量を抑えた状態で使用する第２分類と、エネルギー消費を維持継続する第３分類とに分類されており、前記外出認識装置１は、前記各エネルギーの分類のうち、第１分類および第２分類に該当するエネルギーの消費量を前記エネルギー消費量判定手段４によって判定するための通常外出モード３ａと、前記各エネルギーの分類のうち、第１分類〜第３分類に該当するエネルギーの消費量を前記エネルギー消費量判定手段４によって判定するための長期外出モード３ｂと、前記通常外出モード３ａおよび長期外出モード３ｂを解除するための在宅モード３ｃとを具備しているので、居住者の外出の形態によって、通常外出モード３ａと長期外出モード３ｂとを使い分けることができ、利便性が高い。
すなわち、通常外出モード３ａでは第１分類および第２分類に該当するエネルギーの消費量だけを確認すればよく、短期外出する上で効率的であり、長期外出モード３ｂでは、第１〜第３分類の全ての分類のエネルギーの消費量を判定し、長期外出中の無駄なエネルギー消費を確実に低減させることができる。
また、通常外出モード３ａおよび長期外出モード３ｂは、在宅モード３ｃに切り替えるだけで確実かつ容易に解除することができるので、帰宅時の手間を最低限なものとすることができる。
【０００８】
請求項２に記載の発明は、例えば図１および図６〜図９に示すように、請求項１に記載のエネルギー消費量の判定システムにおいて、
前記エネルギー表示装置２は、各種データ・プログラム等を記憶するための記憶手段５を有しており、
この記憶手段５には、各エネルギー消費量の判定結果を表示するための判定結果表示プログラム６が格納されていることを特徴とする。
【０００９】
請求項２に記載の発明によれば、前記エネルギー表示装置２は、各種データ・プログラム等を記憶するための記憶手段５を有しており、この記憶手段５には、各エネルギー消費量の判定結果を表示するための判定結果表示プログラム６が格納されているので、この判定結果表示プログラム６に基づいて、各エネルギー消費量の判定結果を確実に表示することができる。
【００１０】
請求項３に記載の発明は、例えば図１，図２および図６〜図９に示すように、請求項２に記載のエネルギー消費量の判定システムにおいて、
前記エネルギー表示装置２は、分電盤７に搭載されるとともに該分電盤７から分岐された複数の分岐回路８〜２３ごとの消費電力量を測定する電力測定手段２４に接続されており、
前記複数の分岐回路８〜２３は、コンセント回路や照明回路等の一般回路と、接続される機器の電力消費量に基づいて一般回路と区別される専用回路とに区分されており、
前記判定結果表示プログラム６は、消費電力量の判定結果を、分岐回路別・住宅内の所定のエリア別・住宅全体に分類して表示可能に構成されていることを特徴とする。
【００１１】
請求項３に記載の発明によれば、前記エネルギー表示装置２は、分電盤７に搭載されるとともに該分電盤７から分岐された複数の分岐回路８〜２３ごとの消費電力量を測定する電力測定手段２４に接続されているので、各分岐回路８〜２３の消費電力量をそれぞれ表示することができ、住宅内の消費電力量を分岐回路８〜２３ごとに詳細に把握できる。
また、前記複数の分岐回路８〜２３は、コンセント回路や照明回路等の一般回路と、接続される機器の電力消費量に基づいて一般回路と区別される専用回路とに区分されており、前記判定結果表示プログラム６は、消費電力量の判定結果を、分岐回路別・住宅内の所定のエリア別・住宅全体に分類して表示可能に構成されているので、前記判定結果表示プログラム６に基づいて、住宅内の消費電力量の判定結果を分岐回路別・エリア別・住宅全体に分類して確実に表示できるとともに、エネルギーを無駄に消費している住宅内のエリアを容易に判明させることができる。
【００１２】
請求項４に記載の発明は、例えば図１および図９に示すように、請求項３に記載のエネルギー消費量の判定システムにおいて、
前記消費電力量の設定値は、前記各分岐回路８〜２３に接続される機器ごとの消費電力に基づいて設定されていることを特徴とする。
【００１３】
請求項４に記載の発明によれば、前記消費電力量の設定値は、前記各分岐回路８〜２３に接続される機器ごとの消費電力に基づいて設定されているので、機器の配置に応じて設定値を決めることができる。これによって、消費電力量の設定値を、居住者の生活に適合させたものとすることができるので、居住者本位の快適な居住環境を形成できる。
【００１４】
請求項５に記載の発明は、請求項３に記載のエネルギー消費量の判定システムにおいて、
前記外出認識装置１は、前記各分岐回路８〜２３に接続される機器ごとの消費電力データを記憶手段２８に蓄積するためのデータ蓄積手段を有しており、
前記消費電力量の設定値は、前記データ蓄積手段によって蓄積された消費電力データに基づいて設定されていることを特徴とする。
【００１５】
請求項５に記載の発明によれば、前記外出認識装置１は、前記各分岐回路８〜２３に接続される機器ごとの消費電力データを記憶手段２８に蓄積するためのデータ蓄積手段を有しており、前記消費電力量の設定値は、前記データ蓄積手段によって蓄積された消費電力データに基づいて設定されているので、例えば一定期間蓄積された消費電力データの平均値を基に、前記消費電力量の設定値を決めるなどして、消費電力量の設定値を、居住者の生活に適合させたものとすることができる。
【００１６】
請求項６に記載の発明は、例えば図１および図３に示すように、請求項２〜５のいずれか一項に記載のエネルギー消費量の判定システムにおいて、
前記エネルギー表示装置２は、住宅全体のガス使用量を測定するガスメーター２５に接続されており、
前記判定結果表示プログラム６は、ガス使用量の判定結果を表示可能に構成されていることを特徴とする。
【００１７】
請求項６に記載の発明によれば、前記エネルギー表示装置２は、住宅全体のガス使用量を測定するガスメーター２５に接続されており、前記判定結果表示プログラム６は、ガス使用量の判定結果を表示可能に構成されているので、前記ガスメーター２５で測定されたガス使用量データを前記エネルギー消費量判定手段４によって判定した後に、その判定結果を、前記判定結果表示プログラム６に基づいて確実に表示することができる。これによって、居住者は、外出時に、無駄なガス使用を防げる。
【００１８】
請求項７に記載の発明は、例えば図１および図４に示すように、請求項２〜６のいずれか一項に記載のエネルギー消費量の判定システムにおいて、
前記エネルギー表示装置２は、住宅全体の水道使用量を測定する水道メーター２６に接続されており、
前記判定結果表示プログラム６は、水道使用量の判定結果を表示可能に構成されていることを特徴とする。
【００１９】
請求項７に記載の発明によれば、前記エネルギー表示装置２は、住宅全体の水道使用量を測定する水道メーター２６に接続されており、前記判定結果表示プログラム６は、水道使用量の判定結果を表示可能に構成されているので、前記水道メーター２６で測定された水道使用量データを前記エネルギー消費量判定手段４によって判定した後に、その判定結果を、前記判定結果表示プログラム６に基づいて確実に表示することができる。これによって、居住者は、外出時に、無駄な水道使用を防げる。
【００２０】
請求項８に記載の発明は、例えば図１および図５に示すように、請求項２〜６のいずれか一項に記載のエネルギー消費量の判定システムにおいて、
前記エネルギー表示装置２は、住宅内の所定箇所に複数配管された水道管を流れる水の流量を測定する複数の流量センサー２７…にそれぞれ接続されており、
前記判定結果表示プログラム６は、水道使用量の判定結果を、流量センサー２７別・住宅全体に分類して表示可能に構成されていることを特徴とする。
【００２１】
請求項８に記載の発明によれば、前記エネルギー表示装置２は、住宅内の所定箇所に複数配管された水道管を流れる水の流量を測定する複数の流量センサー２７…にそれぞれ接続されており、前記判定結果表示プログラム６は、水道使用量の判定結果を、流量センサー２７別・住宅全体に分類して表示可能に構成されているので、水道を無駄に使用している住宅内のエリアを容易に判明させることができるとともに、住宅全体の総水道使用量を確実に把握できる。
【００２２】
請求項９に記載の発明は、例えば図１１および図１２に示すように、請求項１〜８のいずれか一項に記載のエネルギー消費量の判定システムにおいて、
前記通常外出モード３ａおよび長期外出モード３ｂでは、外出時間の設定が可能とされていることを特徴とする。
【００２３】
請求項９に記載の発明によれば、前記通常外出モード３ａおよび長期外出モード３ｂでは、外出時間の設定が可能とされているので、設定された外出中の無駄なエネルギー消費を確実に低減させることができる。
【００２４】
請求項１０に記載の発明は、例えば図１に示すように、請求項１〜９のいずれか一項に記載のエネルギー消費量の判定システムにおいて、
前記外出認識装置１は、各エネルギーの消費量が設定値以上であった場合に警告を発する警告手段２９を有していることを特徴とする。
【００２５】
請求項１０に記載の発明によれば、前記外出認識装置１は、各エネルギーの消費量が設定値以上であった場合に警告を発する警告手段２９を有しているので、この警告手段２９によって警告を発することで、居住者に対し、前記エネルギー表示装置２の確認を促すことができる。
【００２６】
請求項１１に記載の発明は、例えば図１に示すように、請求項１〜１０のいずれか一項に記載のエネルギー消費量の判定システムにおいて、
前記外出認識装置１の記憶手段２８には、一つの分岐回路８（９〜２３）に対し、第１〜第３分類のうちのいずれかに分類された複数の機器が接続される場合の該分岐回路８（９〜２３）の消費電力量の上限値データが格納されており、
この上限値データに基づいて、該分岐回路８（９〜２３）の消費電力量の設定値が設定されていることを特徴とする。
【００２７】
請求項１１に記載の発明によれば、前記第１分類の機器はオンかオフしかないものであり、第２分類の機器は消費電力が抑えられるものであり、第３分類の機器は消費電力が維持継続されるものであることから、第１〜第３分類のうちのいずれかに分類された複数の機器を、前記一つの分岐回路８（９〜２３）に対して接続した場合であっても、上限値の設定を容易に行うことができるので、該分岐回路８（９〜２３）の消費電力量が設定値以上であるか、設定値未満であるかを、前記エネルギー消費量判定手段４によって容易かつ確実に判定することができる。
【００２８】
請求項１２に記載の発明は、請求項１〜１１のいずれか一項に記載のエネルギー消費量の判定システムにおいて、
前記外出認識装置１とエネルギー表示装置２とは一体形成されていることを特徴とする。
【００２９】
請求項１２に記載の発明によれば、前記外出認識装置１とエネルギー表示装置２とは一体形成されているので、前記外出認識装置１によって外出を認識させると同時に、前記エネルギー表示装置２に表示される情報を確認することができ、外出時における利便性が高い。
【００３０】
請求項１３に記載の発明は、請求項１〜１１のいずれか一項に記載のエネルギー消費量の判定システムにおいて、
前記外出認識装置１は玄関に配置されており、前記エネルギー表示装置２は居室内に配置されていることを特徴とする。
【００３１】
請求項１３に記載の発明によれば、前記外出認識装置１は玄関に配置されており、前記エネルギー表示装置２は居室内に配置されているので、前記エネルギー表示装置２に表示される情報を居室内からすぐに確認することができ、在宅時における利便性が高い。また、玄関で前記外出認識装置１を利用することができ、外出時における利便性が高い。
【００３２】
請求項１４に記載の発明は、請求項１〜１３のいずれか一項に記載のエネルギー消費量の判定システムにおいて、商用電力系統等の外部電源と、その他の電源とを含む複数の電源に接続されており、いずれの電源を利用するか選択可能に構成されていることを特徴とする。
【００３３】
請求項１４に記載の発明によれば、商用電力系統等の外部電源と、その他の電源とを含む複数の電源に接続されており、いずれの電源を利用するか選択可能に構成されているので、例えばその他の電源として太陽電池や燃料電池等を使用することによって、該判定システムを、前記外部電源だけでなく、これら太陽電池や燃料電池等の他の電源を利用して稼働させることができる。これによって、前記外部電源を使用する分のコストを軽減することができるとともに、外部電源を利用できない場合にも、該判定システムを稼働させることができる。
【００３４】
請求項１５に記載の発明は、請求項１４に記載のエネルギー消費量の判定システムにおいて、一日を複数の時間帯に区分けし、区分けした時間帯ごとに、いずれの電源を利用するか選択可能に構成されていることを特徴とする。
【００３５】
請求項１５に記載の発明によれば、一日を複数の時間帯に区分けし、区分けした時間帯ごとに、いずれの電源を利用するか選択可能に構成されているので、商用電力系統等の外部電源と、その他の電源とを適宜使い分けることができる。
すなわち、例えばその他の電源として太陽電池を使用すれば、この太陽電池を用いて昼間の電力を担うことができるので、該判定システムを稼働させることも可能となる。また、夜間であれば、蓄電池に蓄電した電力を使用するなどして、該判定システムを稼働させることができるので、前記外部電源を使用する分のコストをより軽減することができる。
【発明の効果】
【００４０】
本発明によれば、外出認識装置によって居住者の外出を認識した時に、エネルギー消費量判定手段によって各エネルギーの消費量を判定することができ、その判定結果を、エネルギー表示装置に確実に表示することができる。
これによって、居住者は、外出認識装置によって外出を認識した後に、エネルギー表示装置を見て、住宅内において無駄なエネルギー消費が行われている場所を容易に確認することができるので、例えばエネルギーを無駄に消費している場所に行き、エネルギー消費を抑える行動を取るなどして、無駄なエネルギー消費の低減を図ることが可能となる。
【図面の簡単な説明】
【００４１】
【図１】本発明に係るエネルギー消費量の判定システムの一例を示すもので、その概略構成を示す図である。
【図２】同、分岐回路の配置の概略構成を示す図である。
【図３】同、エネルギー表示装置とガスメーターとの接続状態の概略構成を示す図である。
【図４】同、エネルギー表示装置と水道メーターとの接続状態の概略構成を示す図である。
【図５】同、エネルギー表示装置と流量センサーとの接続状態の概略構成を示す図である。
【図６】同、エリア別に判定結果を表示した状態の表示モニタを示す図である。
【図７】同、分岐回路別・センサー別に判定結果を表示した状態の表示モニタを示す図である。
【図８】同、住宅全体の判定結果を表示した状態の表示モニタを示す図である。
【図９】同、機器別に判定結果を表示した状態の表示モニタを示す図である。
【図１０】同、分岐回路別に消費電力量を表示した状態の表示モニタを示す図である。
【図１１】同、通常外出モードの外出時間の設定画面を表示した状態の表示モニタを示す図である。
【図１２】同、長期外出モードの外出期間の設定画面を表示した状態の表示モニタを示す図である。
【図１３】同、機器に端末制御装置を接続して遠隔操作する際の概略構成を示す図である。
【図１４】同、機器を操作するための操作画面を表示した状態の表示モニタを示す図である。
【図１５】本発明に係るエネルギー消費量の判定システムと、複数の電源との接続状態の概略構成を示す図である。
【発明を実施するための形態】
【００４２】
以下、図面を参照して本発明の実施の形態について説明する。
図１は本発明に係るエネルギー消費量の判定システムの一例を示す概略図である。
図１において符号１は、外出認識装置を示しており、符号２は、エネルギー表示装置を示している。
この外出認識装置１は、居住者の外出および帰宅を認識する外出認識手段３と、この外出認識手段３に連動し、居住者の外出を認識した時に、電力・ガス・水道の各エネルギーの消費量が設定値以上であるか、設定値未満であるかを判定するエネルギー消費量判定手段４とを有するものである。
また、エネルギー表示装置２は、前記外出認識装置１と接続されるとともに、各エネルギーの消費量の判定結果を表示するものであり、表示モニタ２ａを有する。さらに、このエネルギー表示装置２は、表示モニタ２ａに隣接して設けられるコントロール部２ｂを有している。そして、このコントロール部２ｂの「切替」キーを押すことによって表示モニタ２ａの画面を切り替えたり、「メニュー」キーを押すことによってメニュー画面を表示モニタ２ａに表示させたり、方向キーを押すことによってカーソルを上下左右に動かしたり、「決定」キー押すことによって各種プログラムを実行したり、「戻る」キーによって画面を前の表示画面に戻したり、「ＴＯＰ」キーを押すことによってトップメニュー画面を表示することができるようになっている。
【００４３】
このエネルギー表示装置２は、各種データ・プログラム等を記憶するための記憶手段５を有しており、この記憶手段５には、各エネルギー消費量の判定結果を表示するための判定結果表示プログラム６が格納されている。これによって、この判定結果表示プログラム６に基づいて、各エネルギー消費量の判定結果を確実に表示することができる。
すなわち、この判定結果表示プログラム６は、消費電力量の判定結果を表示するための消費電力量項目と、ガス使用量の判定結果を表示するためのガス使用量項目と、水道使用量の判定結果を表示するための水道使用量項目とからなり、各項目に基づいて各エネルギーの消費量の判定結果を表示できるようになっている。
【００４４】
消費電力量の判定結果を表示するため、前記エネルギー表示装置２は、図２に示すように、分電盤７に搭載されるとともに該分電盤７から分岐された複数の分岐回路８〜２３ごとの消費電力量を測定する電力測定手段２４に接続されている。この分電盤７は、幹線７ａからの配線を分岐するものである。
なお、前記複数の分岐回路８〜２３は、コンセント回路や照明回路等の一般回路と、接続される機器の電力消費量に基づいて一般回路と区別される専用回路とに区分されている。この専用回路には、２００ボルト専用回路が必要なエアコンや、１ＫＷ以上の電子レンジ等が接続される。
【００４５】
また、このような一般回路と専用回路とに区分された各分岐回路８〜２３の消費電力量の判定結果は、図１および図２に示すように、前記判定結果表示プログラム６によって、分岐回路別・住宅内の所定のエリア別・住宅全体に分類して表示可能となっている。
すなわち、前記複数の分岐回路８〜２３は、住宅内の所定のエリアに分けて配置されている。なお、これら複数の分岐回路８〜２３が配置される住宅は、本実施の形態では２階建ての戸建て住宅が採用されており、１階には、リビングと、このリビングに隣接するダイニングと、このダイニングに隣接するキッチンと、住宅内と屋外とを連通する玄関と、浴室、洗面所、トイレからなる１階水周り室とが配設されている。１階と２階との間には階段が配置されており、２階には、階段の降り口であるホールと、主寝室、子供部屋等の２階部屋が３つと、洗面所、トイレからなる２階水周り室とが配設されている。
【００４６】
そして、分岐回路８は、リビングに配置されたコンセント回路であり、分岐回路９は、ダイニングに配置されたコンセント回路であり、分岐回路１０は、リビング・ダイニング用のエアコンが接続される専用回路である。これら分岐回路８，９，１０は、リビングエリアとしてエリア分けされている。
【００４７】
また、分岐回路１１は、キッチンに配置されたコンセント回路であり、第３分類（後述する）に分類される冷蔵庫が接続されており、本実施の形態では第１キッチンと称する。分岐回路１２は、キッチンに配置されたコンセント回路であり、本実施の形態では第２キッチンと称する。分岐回路１３は、キッチンに配置された専用回路であり、大型の電子レンジが接続されている。これら分岐回路１１，１２，１３は、キッチンエリアとしてエリア分けされている。
【００４８】
また、分岐回路１４は、玄関や水周り室に配置されたコンセント回路であり、分岐回路１５は、トイレに配置された専用回路であり、洗浄便座が接続されている。これら分岐回路１４，１５は、１階水周りエリアとしてエリア分けされている。
また、分岐回路１６は、１階の照明機器が接続される照明回路である。照明機器は、リビング、ダイニング、キッチン、玄関、水周り室に取り付けられており、その他に、屋外灯も用いられている。
【００４９】
また、分岐回路１７は、主寝室、子供部屋等の３つの２階部屋に配置されたコンセント回路であり、分岐回路１８は、２階部屋の１つに配置された専用回路であり、エアコンが接続されている（第１エアコン）。分岐回路１９も、２階部屋の１つに配置された専用回路であり、エアコンが接続されている（第２エアコン）。同じく、分岐回路２０も、２階部屋の１つに配置された専用回路であり、エアコンが接続されている（第３エアコン）。
これら分岐回路１７，１８，１９，２０は、２階部屋エリアとしてエリア分けされている。
【００５０】
また、分岐回路２１は、階段、ホール、水周り室に配置されたコンセント回路であり、分岐回路２２は、トイレに配置された専用回路であり、洗浄便座が接続されている。これら分岐回路２１，２２は、２階水周りエリアとしてエリア分けされている。
また、分岐回路２３は、２階の照明機器が接続される照明回路である。照明機器は、３つの２階部屋、水周り室、階段、ホールに取り付けられている。
【００５１】
さらに、前記リビングエリア、キッチンエリア、１階水周りエリア、１階照明用の分岐回路１６は、１階エリアとしてエリア分けされており、前記２階部屋アリア、２階水周りエリア、２階照明用の分岐回路２３は、２階エリアとしてエリア分けされている。
【００５２】
したがって、前記エネルギー表示装置２は、分電盤７に搭載されるとともに該分電盤７から分岐された複数の分岐回路８〜２３ごとの消費電力量を測定する電力測定手段２４に接続されているので、各分岐回路８〜２３の消費電力量をそれぞれ表示することができ、住宅内の消費電力量を分岐回路８〜２３ごとに詳細に把握できる。
また、前記判定結果表示プログラム６に基づいて、住宅内の消費電力量の判定結果を分岐回路別・エリア別・住宅全体に分類して確実に表示できるとともに、エネルギーを無駄に消費している住宅内のエリアを容易に判明させることができる。
なお、分岐回路の数は適宜変更可能であることは言うまでもなく、どのように配置するかも適宜変更可能である。
【００５３】
また、前記エネルギー表示装置２は、ガス使用量の判定結果を表示するために、図１および図３に示すように、住宅全体のガス使用量を測定するガスメーター２５に接続されており、前記判定結果表示プログラム６は、ガス使用量の判定結果を表示可能に構成されている。
【００５４】
前記ガスメーター２５は、ガス使用量に伴ってパルス信号を出力するパルス出力付ガスメーターであり、このガスメーター２５と前記エネルギー表示装置２との間には、単位時間当たりのパルス数をカウントするパルスカウンター３５が設けられている。
【００５５】
そして、前記エネルギー表示装置２に備えられた演算手段（図示せず）により、このパルスカウンター３５から出力されたパルスカウント値を基にガス使用量を演算し、このデータを、前記エネルギー消費量判定手段４によって判定した後に、その判定結果を、前記判定結果表示プログラム６のガス使用量項目に基づいて表示モニタ２ａに表示する。これによって、居住者は、外出時に、無駄なガス使用を防げる。
【００５６】
なお、本実施の形態においては、ガス使用量を判定するにあたって前記エネルギー表示装置２をガスメーター２５に接続したが、これに限られるものではなく、例えば住宅内の所定箇所に複数配管されたガス管のそれぞれに流量センサーを取り付け、これら流量センサーと前記エネルギー表示装置２とを接続するようにしてもよい。
この時、これら流量センサーにはパルス信号を出力するパルス出力機能を有するものを採用することが好ましい。
【００５７】
また、前記エネルギー表示装置２は、水道使用量の判定結果を表示するために、図１および図５に示すように、住宅内の所定箇所に複数配管された水道管を流れる水の流量を測定する複数の流量センサー２７…にそれぞれ接続されており、前記判定結果表示プログラム６は、水道使用量の判定結果を、流量センサー２７別・住宅全体に分類して表示可能に構成されている。
【００５８】
前記流量センサー２７は、水道使用量に伴ってパルス信号を出力するパルス出力付センサーであり、これら流量センサー２７…と前記エネルギー表示装置２との間には、単位時間当たりのパルス数をカウントするパルスカウンター３５が設けられている。このパルスカウンター３５は、前記ガスメーター２５が接続されたパルスカウンターと同一のものであり、このパルスカウンター３５は、ガスメーター２５からのパルス信号と、流量センサー２７…からのパルス信号とを同時に処理している。
【００５９】
そして、前記エネルギー表示装置２に備えられた演算手段（図示せず）により、このパルスカウンター３５から出力されたパルスカウント値を基に水道使用量を演算し、このデータを、前記エネルギー消費量判定手段４によって判定した後に、その判定結果を、前記判定結果表示プログラム６の水道使用量項目に基づいて表示モニタ２ａに表示する。これによって、水道を無駄に使用している住宅内のエリアを容易に判明させることができるだけでなく、住宅全体の総水道使用量を確実に把握できる。また、居住者は、外出時に、無駄な水道使用を防げる。
【００６０】
なお、本実施の形態においては、水道使用量を判定するにあたって前記エネルギー表示装置２を複数の流量センサー２７…に接続したが、これに限られるものではなく、例えば図４に示すように、住宅全体の水道使用量を測定する水道メーター２６に接続するようにしてもよい。
この時、この水道メーター２６にはパルス信号を出力するパルス出力機能を有するものを採用することが好ましい。
【００６１】
ここで、電力・ガス・水道の各エネルギーは、外出時に、エネルギー消費を完全に停止すべき第１分類と、エネルギー消費量を抑えた状態で使用する第２分類と、エネルギー消費を維持継続する第３分類とに分類されている。
例えば、ヒーターやこたつ等のように発熱する機器や、キッチンのガスコンロ、流し台の水道等は、外出時には稼動を停止することが必須である。このようなエネルギーは第１分類に分類される。その他にも、居住者の任意で適宜、各種機器を第１分類に分類してもよい。
また、第２分類に分類されるエネルギーは、例えば湯沸しポット等のように、不使用時には極力電力を抑えた状態で稼動している機器等が挙げられる。
さらに、第３分類に分類されるエネルギーは、例えば冷蔵庫や防犯機器、２４時間換気装置等のように、連続的な稼動が求められる機器等が挙げられる。また、予定した運転プログラムにしたがって稼動し、プログラムが終了すれば非稼動となるような機器も第３分類とすることが好ましい。例えば放送を録画するＤＶＤレコーダーや洗濯機、衣類乾燥機等が挙げられるが、これに限られるものではない。
なお、前記記憶手段５には、電力・ガス・水道の各エネルギーや、これら各ネルギーを使用する機器のうち、外出時に消費エネルギーが「０（ゼロ）」であることを推奨する機器等のリストが格納されており、このリストを前記エネルギー表示装置２に表示できるようになっている。
【００６２】
また、前記外出認識手段３は、前記各エネルギーの分類のうち、第１分類および第２分類に該当するエネルギーの消費量を前記エネルギー消費量判定手段４によって判定するための通常外出モード３ａと、前記各エネルギーの分類のうち、第１分類〜第３分類に該当するエネルギーの消費量を前記エネルギー消費量判定手段４によって判定するための長期外出モード３ｂと、前記通常外出モード３ａおよび長期外出モード３ｂを解除するための在宅モード３ｃとを具備している。
これにより、居住者の外出の形態によって、通常外出モード３ａと長期外出モード３ｂとを使い分けることができるので、利便性が高い。
すなわち、通常外出モード３ａでは第１分類および第２分類に該当するエネルギーの消費量だけを確認すればよく、短期外出する上で効率的であり、長期外出モード３ｂでは、第１〜第３分類の全ての分類のエネルギーの消費量を判定し、長期外出中の無駄なエネルギー消費を確実に低減させることができる。
また、通常外出モード３ａおよび長期外出モード３ｂは、在宅モード３ｃに切り替えるだけで確実かつ容易に解除することができるので、帰宅時の手間を最低限なものとすることができる。
【００６３】
なお、各モードの切り替えは、図１に示すように、例えば押しボタンスイッチ３ｄ等の切り替え手段によって行われる。つまり、通常外出モードのボタンを押せば、通常外出モードとなり、長期外出モードのボタンを押せば、長期外出モードとなり、これら通常外出モードと長期外出モードのうちのいずれか一方のモードとなっている最中に、在宅モードのボタンを押せば、一方の外出モードが解除される。
【００６４】
前記通常外出モード３ａでは、外出時間の設定が可能となっており、設定された時間内の無駄なエネルギー消費を確実に低減できるようになっている。
すなわち、図１１に示すように、開始時間と終了時間と、完全に停止させたい機器とが選択できるようになっている。この完全に停止させたい機器は、第２分類に分類されたものが挙げられる。
なお、押しボタンスイッチ３ｄを押して通常外出モード３ａを作動させる際は、まず、この図１１のような設定画面が表示され、必要事項を選択し決定した後に、通常外出モード３ａが作動するようになっている。すなわち、前記エネルギー消費量判定手段４によって、第１分類・第２分類に該当するエネルギーの消費量が判定されることになる。
また、前記長期外出モード３ｂでは、外出時間（期間）の設定が可能とされており、設定された外出期間中の無駄なエネルギー消費を確実に低減できるようになっている。
すなわち、図１２に示すように、開始日と終了日と、完全に停止させたい機器とが選択できるようになっている。この完全に停止させたい機器は、第２分類・第３分類に分類されたものが挙げられる。
なお、押しボタンスイッチ３ｄを押して長期外出モード３ｂを作動させる際は、まず、この図１２のような設定画面が表示され、必要事項を選択し決定した後に、長期外出モード３ｂが作動するようになっている。すなわち、前記エネルギー消費量判定手段４によって、第１分類〜第３分類に該当するエネルギーの消費量が判定されることになる。
また、長期外出モード３ｂ中は、第２分類に分類された機器も完全に稼動が停止されることになる。つまり、第１分類の機器と、第２分類の機器と、第３分類の選択された機器とは、前記エネルギー消費量判定手段４によって同様に判定されることになる。
【００６５】
なお、このように通常外出モード３ａや長期外出モード３ｂが作動している間、第２分類や第３分類に分類された機器のうち、完全に停止させたい機器として選択されなかった機器は稼働している。このような機器はエネルギー消費が「ゼロ」になると不具合が生じるものであり、例えば外出時の窓の開放を警告する機器や、飼育中の生物の生命活動を維持するための機器等が挙げられる。
完全に停止させたい機器として、このように不具合が生じる機器が選択された時には、設定ミスとして、警告手段２９などにより警告を発するようにしてもよい。
【００６６】
また、以上のように通常外出モード３ａや長期外出モード３ｂを作動させるにあたって、前記エネルギー表示装置２には、完全に停止させる機器のお薦めを表示できるように設定してもよい。
すなわち、完全に停止させたい機器として複数回選択された機器を、選択履歴データ３７として記憶しておき、次回、通常外出モード３ａや長期外出モード３ｂが作動した時に、この記憶された機器を表示する選択機器表示プログラム３８を記憶手段５に格納しておく。
機器の表示は、図１１や図１２に示すように、選択肢として表示されるようにしてもよいし、図示はしないが、これら複数種類の機器を一括選択できるような画面を、前記エネルギー表示装置２に表示させるようにしてもよい。
【００６７】
また、前記在宅モード３ｃでは、上述のように通常外出モード３ａおよび長期外出モード３ｂを解除するためのモードであり、居住者の在宅時における通常モードとなる。
さらに、前記エネルギー表示装置２では、在宅モード３ｃを動作させることで自動的に稼動させることが可能な機器等を予め設定することができる。
また、前記外出認識装置１は、図示しない通信手段および制御手段を備えることによって、携帯電話や車両の通信装置等の通信機器から操作できるように構成されていてもよく、その際は、居住者が帰宅する前に、通信機器から「在宅モード３ｃ」を作動させることができる。
【００６８】
また、前記外出認識装置１は、図１に示すように、各エネルギーの消費量が設定値以上であった場合に警告を発する警告手段２９を有しており、この警告手段２９によって警告を発することで、居住者に対し、前記エネルギー表示装置２の確認を促すことができる。
また、前記通常外出モード３ａと、長期外出モード３ｂとのうち、いずれか一方を作動させた際に、各エネルギーの消費量が設定値以上でなかった場合、この警告手段２９は警告を発さないように設定されている。
なお、本実施の形態では、警告ランプ３０によって警告を発することができるようになっているが、これに限られるものではなく、適宜変更可能である。つまり、警告ランプ３０のように視覚的な警告だけでなく、例えばブザー音やアナウンス等のように、音を発する聴覚的な警告手段が用いられてもよい。
また、この警告手段２９による警告は、無駄なエネルギーを消費している機器等の稼動が停止、または抑えられ、設定値未満となった際に自動的に終了するように構成されている。
また、この警告手段２９による警告を行う対象となる機器を予め選択しておいてもよいものとする。
【００６９】
また、前記外出認識装置１には、図示はしないが、この警告手段２９による警告を強制的に停止する警告停止手段が備えられていてもよい。
これによって、居住者が、無駄なエネルギー消費をしている機器等の稼動を停止、または抑える行動をしている間中、警告を発し続けることを防ぐことができる。また、無駄なエネルギーが消費されていたとしても、居住者がそのことを予め確認済みであれば、警告を発する必要はない。すなわち、例えば、一時的な外出において防犯の意味合いで第１分類に分類された照明やテレビ３６をつけたままにしたいという場合、照明やテレビ３６がつけられたままであることは、居住者の意図によるものであり、当然、予め確認済みであるから、警告が発せられた際に、これを警告停止手段によって停止することができる。
【００７０】
また、前記外出認識装置１は、図１に示すように、各種データ・プログラム等を記憶するための記憶手段２８を有しており、この記憶手段２８には、前記各エネルギーの分類に係る分類データが格納されている。すなわち、どのエネルギーが、どの分類であるか、居住者が適宜設定したものをデータとして記憶させておくことができる。
【００７１】
さらに、前記記憶手段２８には、前記エネルギー消費量判定手段４によって各エネルギーの実際の消費量と比較される設定値データが格納されている。
これにより、前記エネルギー消費量判定手段４によって、各エネルギーの測定結果と設定値データとを比較し、測定結果の数値が、前記設定値データ以上であるか、設定値データ未満であるかを判定できる。
また、上述のように複数の流量センサー２７…を用いて複数の水道管ごとに水道使用量を判定する際は、配管別で設定値データが設定されている。また、各設定値データは、各エネルギーの分類ごとに異なる。
【００７２】
すなわち、同じ機器でも、外出時に稼動が許可されない第１分類と、許可される第３分類とでは、判定基準となる数値が明らかに異なるため、各分類に相応する設定値を決定する必要がある。
これについて、前記リビングエリアのリビングにおいてコンセント回路に接続される各機器を例に挙げて説明する。このリビングのコンセント回路には、テレビ３６、ＤＶＤレコーダー、空気清浄機、こたつが接続されているものとする。なお、以下に説明する各機器の消費電力は使用状況や機器内部での情報処理の状況等によって変動する場合があるが、本実施の形態では、各機器の定格電力に基づいて設定されているものとする。
【００７３】
テレビ３６は第１分類に分類されており、消費電力は１１５Ｗ（ワット）で、待機電力は１Ｗ未満のものが採用されている。この場合の設定値は、「１Ｗ以上、１１５Ｗ未満」とされている。つまり、テレビ３６の電源がオンの時には、待機電力以上の電力が必要であるとともに、定格電力以上の消費電力を必要としないため、定格電力よりも小さく、かつ待機電力よりも大きい値を設定する。
【００７４】
また、ＤＶＤレコーダーは第３分類に分類されており、外出中に録画をする場合を想定して、外出時であっても連続稼動が許可されている。消費電力は４５Ｗのものが採用されている。この場合の設定値は、「４５Ｗ以下」とされている。なお、このＤＶＤレコーダーの待機電力は１Ｗ未満のものが採用されているものとする。
【００７５】
また、空気清浄機は第２分類に分類されている。つまり、空気清浄機には、例えば「強モード」や「弱モード」があり、いずれを選択するかによって消費電力も異なる。本実施の形態においては、消費電力は「強モード」で４５Ｗであり、「弱モード」で２０Ｗであり、待機電力が１Ｗ未満のものが採用されている。そして、外出時には、「弱モード」で稼動するように、もしくは稼動を停止した状態となるように操作されている。この場合の設定値は、「２０Ｗ以下」とされている。
【００７６】
また、こたつは、上述のように第１分類に分類されている。前記空気清浄機と同様に、こたつも、例えば「強モード」・「弱モード」の切り替えが可能であるが、これに関係なく、電源をオフとする。消費電力は５００Ｗで、待機電力が無いものが採用されている。この場合の設定値は、「１Ｗ以上、５００Ｗ未満」とされている。
【００７７】
そして、以上のように各機器の設定値が設定された上で、分岐回路８の設定値が決定される。すなわち、上述のように各分岐回路８〜２３は、前記電力測定手段２４によって消費電力量が測定されている。したがって、通常外出モード３ａの押しボタンスイッチが押された時点の分岐回路８の消費電力量を得ることができる。
測定された消費電力量が、例えば「７０５Ｗ」であれば、こたつ５００Ｗと、テレビ３６の１１５Ｗと、空気清浄機・強モード４５Ｗと、ＤＶＤレコーダー４５Ｗとが全て稼動していることが判明する。この時、こたつと、テレビ３６と、空気清浄機とが、エネルギー消費を抑える行動を取るべき対象となる。
また、テレビ３６の待機電力と、ＤＶＤレコーダーの待機電力と、空気清浄機の待機電力とはそれぞれ１Ｗ未満に設定されているため、測定された消費電力量が「３Ｗ未満」であれば、全ての機器が待機中または電源オフの状態であることが判明する。
また、測定された消費電力量が「２０５Ｗ」であれば、こたつ以外の機器が稼動しており、さらに空気清浄機が強モードで稼動していることが判明する。この時は、テレビ３６と、空気清浄機とが、エネルギー消費を抑える行動を取るべき対象となる。
また、測定された消費電力量が「１３５Ｗ」であれば、テレビ３６と、空気清浄機・弱モード２０Ｗとが稼動していることが判明する。この時は、テレビ３６のみが、エネルギー消費を抑える行動を取るべき対象となる。
つまり、設定された機器ごとの設定値の組み合わせで、いずれの機器が稼動しているのかが判明するようになっている。
【００７８】
なお、前記外出認識装置１の記憶手段２８には、一つの分岐回路８（９〜２３）に対し、第１〜第３分類のうちのいずれかに分類された複数の機器が接続される場合の該分岐回路８（９〜２３）の消費電力量の上限値データが格納されており、この上限値データに基づいて、該分岐回路８（９〜２３）の消費電力量の設定値が設定されている。
本実施の形態の分岐回路８においては、通常外出モード３ａでは、ＤＶＤレコーダーの消費電力４５Ｗと、空気清浄機の消費電力２０Ｗとを加算した「６５Ｗ」が上限値とされている。したがって、通常外出モード３ａの押しボタンスイッチ３ｄを押したときに、分岐回路８の消費電力量が６５Ｗを超える数値であれば、外出時に無駄なエネルギーがリビングで消費されていることが判明する。
すなわち、前記第１分類の機器はオンかオフしかないものであり、第２分類の機器は消費電力が抑えられるものであり、第３分類の機器は消費電力が維持継続されるものであることから、第１〜第３分類のうちのいずれかに分類された複数の機器を、前記一つの分岐回路８（９〜２３）に対して接続した場合であっても、上限値の設定を容易に行うことができるので、該分岐回路８（９〜２３）の消費電力量が設定値以上であるか、設定値未満であるかを、前記エネルギー消費量判定手段４によって容易かつ確実に判定することができる。
また、この上限値の設定は、居住者が予め設定することができる。
【００７９】
なお、空気清浄機の強モード４５Ｗと、ＤＶＤレコーダー４５Ｗとは同じ数値であり、どちらかが稼動し、どちらかが稼動していない場合がある。この場合は、図示はしないが、例えば居住者に対してどちらか一方が稼動していることを表示モニタ２ａに表示して告知したり、例えば双方にＩＤデータを送信する装置を取り付け、エネルギー表示装置２側にＩＤデータを受信して、稼動・非稼動を判別したりすることが好ましい。
【００８０】
なお、上述のように長期外出モード３ｂ中は、第１分類の機器と、第２分類の機器と、第３分類の選択された機器とは、前記エネルギー消費量判定手段４によって同様に判定されることになるため、前記空気清浄機・弱モードも判定の対象となり、前記ＤＶＤレコーダーも、判定の対象として選択すれば、同じように判定されることになる。
すなわち、長期外出モード３ｂにおいて、前記ＤＶＤレコーダーを判定対象とした場合は、測定された消費電力量が「３Ｗ未満」でなければならず、それ以外の数値が測定された場合は、いずれかの機器が稼動していることが判明するので、エネルギー消費を抑える行動を取る必要がある。したがって、長期外出モード３ｂにおける分岐回路８の上限値は「３Ｗ」とされている。
【００８１】
なお、前記消費電力量の設定値は、以上のように前記各分岐回路８〜２３に接続される機器ごとの消費電力に基づいて設定されている。したがって、機器の配置に応じて設定値を決めることができる。すなわち、どのエリアに、どのような機器を配置するかによって可変である。これによって、消費電力量の設定値を、居住者の生活に適合させたものとすることができるので、居住者本位の快適な居住環境を形成できる。
【００８２】
なお、本実施に形態においては、以上のように、前記消費電力量の設定値は、前記各分岐回路８〜２３に接続される機器ごとの消費電力に基づいて設定されているものとしたが、これに限られるものではない。
例えば、前記外出認識装置１は、前記各分岐回路８〜２３に接続される機器ごとの消費電力データを記憶手段２８に蓄積するためのデータ蓄積手段を有するものとし、前記消費電力量の設定値は、このデータ蓄積手段によって蓄積された消費電力データに基づいて設定されるものとしてもよい。このデータ蓄積手段を用いる際は、普段から消費電力量を測定して、消費電力データを逐一蓄積していくことが望ましい。したがって、このデータ蓄積手段は、居住者の外出・在宅に左右されずに機器の消費電力データを測定するように設定されている。
これによって、一定期間蓄積された消費電力データの平均値を基に、前記消費電力量の設定値を決めるなどして、消費電力量の設定値を、居住者の生活に適合させたものとすることができる。
なお、このデータ蓄積手段は、所定の機器の測定された消費電力が、一定期間蓄積された消費電力データと近似する場合は、その測定された消費電力のデータを蓄積しないように構成されていてもよいものとする。
また、図示はしないが、前記外出認識装置１には、このように蓄積された消費電力データを元にして、過去のデータと現在のデータとを比較する比較手段が備えられてもよく、これに応じて、前記エネルギー表示装置２には、比較結果表示プログラムが備えられてもよいものとする。
【００８３】
そして、前記エネルギー表示装置２は、図１，図１３および図１４に示すように、各分岐回路８〜２３に接続された機器の電源をオン・オフ操作するための操作プログラム３１と、この操作プログラム３１に基づいて機器の電源を制御するための制御信号を生成する制御手段３２とを有しており、この制御手段３２には、制御信号を送信するための送信手段３３が接続されている。
また、前記機器には、前記送信手段３３からの制御信号を受信し、制御内容に基づいて電源をオン・オフする端末制御装置３４が接続されている。
これによって、各分岐回路８〜２３に接続された機器の電源を、前記エネルギー表示装置２からオン・オフ操作することができる。
なお、前記操作プログラム３１は、前記記憶手段５に格納されており、コントロール部２ｂの操作によって適宜操作できるようになっている。
【００８４】
すなわち、例えば、前記分岐回路８に接続されたテレビ３６の電源をオフにする際は、図１４に示すように、表示モニタ２ａ上で、「機器の選択」項目でテレビ３６を選択してから、「電源オフ」または図示しない「電源オン」の選択肢のうち、「電源オフ」を選択する。このように選択すると、これに基づいて制御手段３２において制御信号が生成され、その制御信号が前記送信手段３３から端末制御装置３４へと送信される。
続いて、制御信号を受信した端末制御装置３４は、その制御内容に基づいてテレビ３６の電源をオフにする。なお、端末制御装置３４は、例えば、テレビ３６の電源回路に接続されたり、テレビ３６とコンセントとの間に介在するように設けられている。
【００８５】
なお、以上のように電力測定手段２４によって測定された消費電力量は、図１０に示すように、表示モニタ２ａで、エリア別、分岐回路別、住宅全体で表示することができるようになっている。また、実際にどの程度エネルギーが消費されているかを、グラフや数値で表すことによって一目で判別できるようになっている。
【００８６】
一方、ガスや水道の場合は、上述のようにパルスカウンター３５から出力されたパルスカウント値を基に使用量を演算し、データを取得している。また、配管数や配管されるエリアが限られているため、電力よりも稼動・非稼動を判別しやすい。
本実施の形態の住宅においては、ガスは、キッチンに配置されるガスコンロと、屋外に本体が設置されるとともにキッチン・浴室・洗面所に配管されるガス給湯器とに用いられている。また、稼動・非稼動の判別は、ガスメーター２５からの情報に基づいて行われており、無駄なエネルギーが消費されている場所をガス使用量のみで判別する際は、キッチン、浴室、洗面所から選択することになる。
また、水道は、住宅内の複数の水道管に取り付けられた流量センサー２７…からの情報に基づいて行われており、水道が用いられる全ての場所ごとに流量センサー２７…を取り付けておけば、無駄なエネルギーが消費されている場所を明確に判別することができる。
【００８７】
そして、キッチンのガスコンロおよび水道と、洗面所の水道およびガス使用による給湯とは、外出時には稼動を停止することが必須である。したがって、これらは第１分類に分類されることになる。また、浴室の水道およびガス使用による給湯も、本実施の形態においては第１分類に分類するものとする。
つまり、本実施の形態では、外出時に、ガスおよび水道は完全に稼動を停止するべきものと設定されている。したがって、前記エネルギー消費量判定手段４によって判定される際は、パルスカウンター３５によるパルス信号の有無に基づいて行われることになる。したがって、外出時にパルス信号がパルスカウンター３５によってカウントされている状態であれば、ガス、水道が使用されている状態であることが確実に判別できる。そして、この場合の設定値は、ガス、水道ともに、パルスカウンター３５によるパルス信号のカウント数が、「１以上」とされている。
なお、住宅内のどの場所で給湯が行われているかを判別するには、ガスと水道が同時に使用されていることになるので、ガスが使用されている状態で、水道管の流量センサー２７からのパルス信号の有無を確認できればよい。
【００８８】
なお、ガスの用途として、上述のガスコンロや給湯の他にも、例えば衣類乾燥機等が挙げられる。また、水道の用途として、上述のキッチンや水周り室の他にも、例えば洗濯機置き場等が挙げられる。
このような電気機器と複合して用いられるガス・水道の場合は、機器の稼動や停止に合わせて、エネルギー消費が行われたり、エネルギ消費が停止したりするので、第３分類に分類してもよいものとする。
【００８９】
また、ガスメーター２５や流量センサー２７…で測定されたガス使用量および水道使用量は、図示はしないが、表示モニタ２ａで、エリア別、分岐回路別、住宅全体で表示することができるようになっている。また、実際にどの程度エネルギーが消費されているかを、グラフや数値で表すことによって一目で判別できるようになっている。
【００９０】
以上のように、前記外出認識装置１の記憶手段２８には、前記エネルギー消費量判定手段４によって各エネルギーの実際の消費量と比較される設定値データが格納されているので、前記エネルギー消費量判定手段４によって、各エネルギーの測定結果と設定値データとを比較し、測定結果の数値が、前記設定値データ以上であるか、設定値データ未満であるかを判定できる。
なお、電力の判定においては、精度良く判定するため、機器ごとの消費電力量の変動を考慮することが望ましい。すなわち、例えば、パソコン等に搭載されるＣＰＵ等は、その使用状況や情報処理の状況等によって変動しやすく、変動幅も大きい場合があるため、予めワットチェッカー等の消費電力測定機器を用いて測定しておき、測定結果に基づいて設定値データを決定するようにする。また、このように消費電力が変動しやすい機器については、前記データ蓄積手段によって設定値データを設定してもよい。
【００９１】
なお、この設定値データは、各エネルギー別、分岐回路別、機器別、住宅全体の４種類に設定されている。ここで、各エネルギー別の設定値データや、分岐回路別の設定値データは、機器ごとの消費電力や配管ごと流量等に基づいて決定するが、住宅全体の設定値データは、機器ごとの消費電力や配管ごと流量等に関わりなく決定してもよい。すなわち、外出時は、最終的に住宅全体のエネルギー消費量が設定値以下となればよく、この際は、例えば機器別、各エネルギー別、分岐回路別で無駄なエネルギーが消費されていることが判明していても、居住者のへの警告手段による警告を行わないものとする。
また、住宅全体の消費エネルギーが、設定値データを超えるものであった場合は、前記警告手段２９による警告を行い、前記外出認識装置１の記憶手段２８に履歴データが残されるようになっている。この場合は、エネルギー消費が設定値以上であった個々の機器についても履歴データが残される。
また、居住者への警告手段による警告を行わない場合として、住宅全体のエネルギー消費量が、太陽光等の自然エネルギーを利用した予測自家発電量以下である場合も含まれるものとする。このような場合は、エネルギー消費量の判定システムに利用する電源として、太陽電池等を他の電源を使用している。
【００９２】
また、電力・ガス・水道の各エネルギーはそれぞれ単位が異なるので、測定されたままの単位で表示モニタ２ａに表示したとしても、その数値が、どの程度の無駄なエネルギー消費なのかが分かりにくい場合がある。
このような場合は、各エネルギーの消費量を共通のポイントで表現して、わかりやすくすることが好ましい。ポイントは、例えば電力料金やガス料金、水道料金を基にすれば、より分かりやすくなる。
また、このように各エネルギーの消費量をポイントで表現できるようにしておけば、各分岐回路８〜２３に接続された全ての機器と、ガスと、水道とを含む住宅全体の合計消費エネルギーの設置値データが設定可能となる。また、合計消費エネルギーの設定値データが、外出時と在宅時のそれぞれで設定可能としておくと、外出時および在宅時のエネルギー消費を効果的に抑えることができるので望ましい。
【００９３】
ここで、前記表示モニタ２ａに表示される画面の構成について説明する。本実施の形態においては前記分岐回路８を例に挙げて説明する。
前記外出認識手段３の通常外出モード３ａの押しボタンスイッチ３ｄを押すと、その時の消費電力に基づいて各分岐回路８〜２３の消費電力の判定が行われ、図６に示すように、まずエリア別に判定結果が表示される。なお、表示モニタ２ａには、現在の表示モニタ２ａに表示されている判定結果が、分岐回路別なのか、エリア別なのか、住宅全体なのか、機器別なのかを判別するための表示画面判別部２ｃが表示されている。図６では、エリア別に判定結果が表示されているので、この表示画面判別部２ｃの「エリア別」の項目の横に「●」が表示されている。この時、「分岐・センサ別」、「住宅全体」、「機器別」の項目の横には「○」が表示されており、表示される画面の切り替えに応じて、これら「●」、「○」も適宜切り替わる。
また、図中、「■」が無駄なエネルギーを消費している場所を指し、「□」が無駄なエネルギーを消費していない場所を指しており、ここでは、「１階エリア」の「リビングエリア」で無駄なエネルギーが消費されていることが判明する。
【００９４】
続いて、図７に示すように、表示画面判別部の項目が「分岐・センサ別」となるように表示画面を切り替える。この画面では、各分岐回路別およびガスメーター２５、流量センサー２７…別に、無駄なエネルギーを消費している場所を示している。
ここでは、リビングエリアの「リビング」で無駄なエネルギーが消費されていることが判明する。
なお、給湯が稼動している状態では、ガスと水道とが同時にエネルギー消費していることになるので、その場合は、ガスの項目のうち、「浴室」、「１階洗面所」、「２階洗面所」のいずれかの項目と、水道の項目のうち、「浴室」、「１階洗面所」、「２階洗面所」のいずれかの項目とが同時に「■」で表される。
【００９５】
続いて、図８に示すように、表示画面判別部の項目が「分岐・センサ別」となるように表示画面を切り替える。この画面では、住宅全体で見た場合に、無駄なエネルギーが消費されている否かを示している。
なお、分岐回路別・機器別で見た場合に、「リビングエリア」の「リビング」で、例えばテレビ３６が電源オンで、無駄なエネルギーが消費されていると判定されたとしても、住宅全体で見た場合に、住宅全体の設定値データを下回っている場合は、警告手段２９による警告が行われないようになっている。
ここでは、図６および図７で判明した「リビングエリア」の「リビング」での無駄なエネルギー消費量が、住宅全体の設定値データ以下であるため、警告手段２９による警告は行われない。
【００９６】
また、続いて、図９に示すように、表示画面判別部の項目が「機器別」となるように表示画面を切り替えることができる。この画面では、前記分岐回路８に接続された機器のうち、どの機器が無駄なエネルギーを消費しているかを判別することができる。
ここでは、設定された機器ごとの設定値の組み合わせ、また、その上限値データに基づいて、前記分回路８に接続されたいずれの機器が稼動しているのかが判明するようになっており、本実施の形態では、テレビ３６が無駄なエネルギーを消費していることが判明する。
【００９７】
さらに、テレビ３６が無駄なエネルギーを消費していることが判明したので、上述のように、これを前記操作プログラム３１によって前記表示モニタ２ａ上で、「機器の選択」項目からテレビ３６を選択してから、「電源オフ」または図示しない「電源オン」の選択肢のうち、「電源オフ」を選択する。
続いて、この選択に基づく制御信号は前記制御手段３２で生成されるとともに、この制御信号は前記送信手段３３から端末制御装置３４へと送信される。そして、この端末制御装置３４は、その制御内容、つまり電源オフという指示どおりに、テレビ３６の電源をオフとする。
【００９８】
長期外出モード３ｂでは、上述したように、開始日と終了日と、完全に停止させたい機器とを選択した後に前記エネルギー消費量判定手段４による判定がなされる。ここで、無駄なエネルギーが消費されている場所や機器があれば、前記操作プログラム３１を使用して、電源をオフにすることができる。
また、長期外出モード３ｂは、長期外出モード３ｂの終了日となるか、または在宅モード３ｃへと切り替えられた際に、完全に停止させたい機器で選択された機器が、自動的に「電源オン」となるように設定されていてもよいものとする。
【００９９】
そして、図示はしないが、本実施の形態において、外出認識装置１は玄関に配置されており、前記エネルギー表示装置２は居室内に配置されているものとする。
これによって、前記エネルギー表示装置２に表示される情報を居室内からすぐに確認することができるので、在宅時における利便性が高い。また、玄関で前記外出認識装置１を利用することができるので、外出時における利便性が高い。
これら外出認識装置１とエネルギー表示装置２とは有線接続されていてもよいし、無線接続されていてもよい。
【０１００】
なお、本実施の形態において前記外出認識装置１は玄関に配置されており、前記エネルギー表示装置２は居室内に配置されているものとしたが、これに限られるものではなく、前記外出認識装置１とエネルギー表示装置２とを一体形成してもよいものとする。
このように前記外出認識装置１とエネルギー表示装置２とを一体形成すれば、前記外出認識装置１によって外出を認識させると同時に、前記エネルギー表示装置２に表示される情報を確認することができるので、外出時における利便性が高いという利点がある。
【０１０１】
以上のようなエネルギー消費量の判定システムは、図１５に示すように、幹線７ａを介して商用電力系統等の外部電源３９に接続されているが、この外部電源３９だけに限られるものではなく、このような外部電源３９と、その他の電源４０，４１とを含む複数の電源に接続されていてもよい。また、該エネルギー消費量の判定システムは、このように複数の電源３９，４０，４１に接続されるとともに、いずれの電源３９，４０，４１を利用するか選択可能に構成されることが望ましい。
その他の電源４０，４１としては、太陽電池４０や燃料電池、蓄電池４１等が挙げられるが、本実施の形態においては太陽電池４０と蓄電池４１とが判定システムに接続されているものとする。すなわち、前記外出認識装置１とエネルギー表示装置２とは、これら太陽電池４０および蓄電池４１と、前記外部電源４０とから供給される電力によって稼働している。太陽電池４０は、建物の屋根に設置されており、蓄電池４１は、建物の外壁際に設置されているものとする。
なお、これら複数の電源３９，４０，４１の選択は、居住者が適宜選択するようにしてもよいし、該判定システムに対して電源選択プログラム４２を予め格納し、このプログラム４２に則って電源選択を行うようにしてもよい。
居住者が選択する場合は、図示はしないが、例えば、前記エネルギー表示装置２の表示モニタ２ａに、電源３９，４０，４１の選択肢が表わされた電源選択画面を表示し、この選択肢の中から選択したり、前記外出認識装置１およびエネルギー表示装置２の外部に、電源切替スイッチ等を設けたりしてもよい。
また、電源選択プログラム４２は、例えば、太陽電池４０や蓄電池４１からの電力供給量が設定値以上となり、安定供給ができる程度と判定された時に、商用電力系統等の外部電源３９から、これら太陽電池４０または蓄電池４１に自動的に切り替えるように構成されている。
そして、該判定システムが、このように商用電力系統等の外部電源３９と、その他の電源４０，４１とを含む複数の電源３９，４０，４１に接続されており、いずれの電源３９，４０，４１を利用するか選択可能に構成されていることによって、該判定システムを、前記外部電源３９だけでなく、これら太陽電池４０や燃料電池等の他の電源を利用して稼働させることができる。これによって、前記外部電源３９を使用する分のコストを軽減することができるとともに、外部電源３９を利用できない場合にも、該判定システムを稼働させることができる。
また、このように他の電源４０，４１を利用する場合は、一日を複数の時間帯に区分けしておき、該エネルギー消費量の判定システムを、区分けした時間帯ごとに、いずれの電源を利用するか選択可能に構成することが好ましい。
これによって、商用電力系統等の外部電源３９と、その他の電源４０，４１とを適宜使い分けることができる。すなわち、例えばその他の電源として太陽電池４０を使用すれば、この太陽電池４０を用いて昼間の電力を担うことができるので、該判定システムを稼働させることも可能となる。また、夜間であれば、蓄電池４１に蓄電した電力を使用するなどして、該判定システムを稼働させることができるので、前記外部電源３９を使用する分のコストをより軽減することができる。
なお、このように一日を複数の時間帯に区分けしたり、区分けされたどの時間帯で、どの電源３９，４０，４１を利用するか等の設定は、前記電源選択プログラム４２に書き込んでおくようにする。また、例えば図示しない通信手段等で取得した天気情報を考慮することもプログラム４２に含んでおいてもよい。
なお、図１５に示すエネルギー表示装置２は外出認識装置１に接続されており、これら外出認識装置１およびエネルギー表示装置２の双方が、前記複数の電源３９，４０，４１から電力供給を受けているものとする。
【０１０２】
本実施の形態によれば、居住者の外出および帰宅を認識する外出認識手段３と、この外出認識手段３に連動し、居住者の外出を認識した時に、電力・ガス・水道の各エネルギーの消費量が設定値以上であるか、設定値未満であるかを判定するエネルギー消費量判定手段４とを有する外出認識装置１と、この外出認識装置１と接続されるとともに、各エネルギーの消費量の判定結果を表示するエネルギー表示装置２とを備えているので、前記外出認識装置１の外出認識手段３によって居住者の外出を認識した時に、前記エネルギー消費量判定手段４によって各エネルギーの消費量を判定することができ、その判定結果を、前記エネルギー表示装置２に確実に表示することができる。
これによって、居住者は、前記外出認識手段３によって外出を認識した後に、前記エネルギー表示装置２を見て、住宅内において無駄なエネルギー消費が行われている場所を容易に確認することができるので、例えばエネルギーを無駄に消費している場所に行き、エネルギー消費を抑える行動を取るなどして、無駄なエネルギー消費の低減を図ることが可能となる。
【０１０３】
また、前記エネルギー表示装置２は、各種データ・プログラム等を記憶するための記憶手段５を有しており、この記憶手段５には、各エネルギー消費量の判定結果を表示するための判定結果表示プログラム６が格納されているので、この判定結果表示プログラム６に基づいて、各エネルギー消費量の判定結果を確実に表示することができる。
【０１０４】
また、前記外出認識装置１は、各種データ・プログラム等を記憶するための記憶手段２８を有しており、この記憶手段２８には、前記エネルギー消費量判定手段４によって各エネルギーの実際の消費量と比較される設定値データが格納されているので、前記エネルギー消費量判定手段４によって、各エネルギーの測定結果と設定値データとを比較し、測定結果の数値が、前記設定値データ以上であるか、設定値データ未満であるかを判定できる。
【符号の説明】
【０１０５】
１  外出認識装置
２  エネルギー表示装置
２ａ  表示モニタ
３  外出認識手段
４  エネルギー消費量判定手段
５  記憶手段
６  判定結果表示プログラム
２８  記憶手段
【図１】
0005592160.tif 000002
【図２】
0005592160.tif 000003
【図３】
0005592160.tif 000004
【図４】
0005592160.tif 000005
【図５】
0005592160.tif 000006
【図６】
0005592160.tif 000007
【図７】
0005592160.tif 000008
【図８】
0005592160.tif 000009
【図９】
0005592160.tif 000010
【図１０】
0005592160.tif 000011
【図１１】
0005592160.tif 000012
【図１２】
0005592160.tif 000013
【図１３】
0005592160.tif 000014
【図１４】
0005592160.tif 000015
【図１５】
0005592160.tif 000016